(57)【要約】【課題】吸気の作動音が気にならずにマスク内の空気を換気することができる手術用マスクの吸気構造を提供する。【解決手段】マスク１の下に吸気カップ３が装着され、マスク１内の熱気や湿気は吸気チューブ６により強制的にマスク１外へ排出される。そのためマスク１をしてもドクターＤが不快に感じることはない。排気ポンプ８はドクターＤの頭から離れた腰部に装着されているため、排気ポンプ８の作動音が気にならない。【選択図】図１
2019163556.tif 000002
【特許請求の範囲】
【請求項１】
左右に設けられた耳掛け紐をドクターの耳に掛けた状態で手術用マスクと顔面との間に装着され、装着された状態で顔面との間に内部空間を形成するカップ形状で、吸気チューブの一端が接続されると共に少なくとも一部に通気部が形成された吸気カップと、
ドクターの頭部から離れた体の一部に装着され、吸気チューブの他端が接続される携帯型の排気ポンプと、
を具備することを特徴とする手術用マスクの吸気構造。
【請求項２】
吸気カップが樹脂成形品で、通気部が開口であることを特徴とする請求項１記載の手術用マスクの吸気構造。
【請求項３】
排気ポンプがドクターの腰部に装着されることを特徴とする請求項１又は請求項２記載の手術用マスクの吸気構造。
【発明の詳細な説明】
【技術分野】
【０００１】
本発明は手術用マスクの吸気構造に関する。
【背景技術】
【０００２】
手術を行うドクターの口と鼻は手術用のマスクにより覆われる。手術用のマスクは単体でドクターの顔面に装着されるものもあれば、着衣と一体になっているものもある。マスクにはストラップが設けられ、そのストラップをドクターの頭部の後側に回して縛ることによりマスクはドクターの顔面に装着される。手術中はドクターがこのマスクを外すことはなく、ずっと装着したままの状態である。
【０００３】
ドクターの口と鼻はずっとマスクにより覆われるため、マスクの内部にはドクターの呼吸による熱気と湿気が充満し、ドクターが不快感を感じる場合がある。またドクターがメガネを掛けている場合は、そのメガネが湿気により曇ったりすることがあった。そのため、マスクを立体的なフィルタ成形品で形成し、それに小型の吸気ファンを取付けて、マスク内の空気を強制的に換気するものが提案されている（例えば、特許文献１参照）
【先行技術文献】
【特許文献】
【０００４】
【特許文献１】特表２００３−５００１７８号公報
【発明の概要】
【発明が解決しようとする課題】
【０００５】
しかしながら、このような関連技術にあっては、マスクに吸気ファンを設けていたため、吸気ファンの作動音がドクターの顔の近くですることとなり、ドクターはその作動音がとても気になっていた。
【０００６】
本発明は、このような関連技術に着目してなされたものであり、吸気の作動音が気にならずにマスク内の空気を換気することができる手術用マスクの吸気構造を提供することを目的としている。
【課題を解決するための手段】
【０００７】
本発明の第１の技術的側面によれば、左右に設けられた耳掛け紐をドクターの耳に掛けた状態で手術用マスクと顔面との間に装着され、装着された状態で顔面との間に内部空間を形成するカップ形状で、吸気チューブの一端が接続されると共に少なくとも一部に通気部が形成された吸気カップと、ドクターの頭部から離れた体の一部に装着され、吸気チューブの他端が接続される携帯型の排気ポンプと、から構成されることを特徴とする。
【０００８】
本発明の第２の技術的側面によれば、吸気カップが樹脂成形品で、通気部が開口であることを特徴とする。
【０００９】
本発明の第３の技術的側面によれば、排気ポンプがドクターの腰部に装着されることを特徴とする。
【発明の効果】
【００１０】
本発明の第１の技術的側面によれば、マスクの下に吸気カップが装着され、その吸気カップに吸気チューブが設けられているため、マスク内の熱気や湿気は吸気チューブにより強制的にマスク外へ排出される。従ってドクターが不快に感じることはなく、ドクターがメガネを掛けている場合も、そのメガネが湿気により曇ることもない。排出された熱気と湿気の代わりに新鮮な空気がマスク内に取り入れられるため、ドクターの呼吸も楽になる。吸気チューブの他端が接続される排気ポンプはドクターの頭から離れた体の一部に装着されているため、排気ポンプの作動音が気にならない。
【００１１】
本発明の第２の技術的側面によれば、吸気カップが樹脂成形品で、通気部が開口であるため、大量生産しやすい。
【００１２】
本発明の第３の技術的側面によれば、排気ポンプの装着場所がドクターの腰部のため、ベルト等を利用して装着しやすい。
【図面の簡単な説明】
【００１３】
【図１】マスクの下に吸気カップを装着したドクターを示す斜視図。
【図２】吸気カップを示す斜視図。
【図３】吸気カップを示す断面図。
【発明を実施するための形態】
【００１４】
図１〜図３は本発明の好適な実施形態を示す図である。
【００１５】
手術用のマスク１には左右にストラップ２が２本ずつ設けられており、そのストラップ２をドクターＤの頭部の後部に回して縛ることにより、マスク１は口と鼻を覆った状態で顔面に装着される。このマスク１はドクターＤの着衣と一体になったタイプもあるが、この実施形態では単体で顔面を覆うタイプである。
【００１６】
マスク１とドクターＤの顔面との間には吸気カップ３が予め装着されている。吸気カップ３はドクターＤの口と鼻を覆うサイズのカップ形状で、顔面との間に内部空間Ｓが形成される。鼻と口が内部空間Ｓ内に位置するため、吸気カップ３が口や鼻と密着せず、ドクターＤは呼吸や会話を容易に行うことができる。この吸気カップ３は大量生産可能な樹脂成形品で、前面には通気部として格子状に区切られた開口４が形成されている。通気部が単なる開口４のため製造が簡単で大量生産しやすくコスト的に有利である。
【００１７】
吸気カップ３の左右には耳掛け紐５が取付けられている。この耳掛け紐５を耳１１に掛けることにより、吸気カップ３は顔面に装着される。
【００１８】
吸気カップ３の左側面には柔軟性を有する吸気チューブ６の一端が接続される。吸気カップ３には内部空間Ｓと連通した筒部７が突設され、そこに吸気チューブ６の一端を差し込んで容易に接続することができる。
【００１９】
吸気チューブ６の他端はドクターＤの腰部に専用ベルトで装着された携帯型の排気ポンプ８に接続されている。排気ポンプ８は排気口９を有し、吸気チューブ６を介して吸引した空気をここから排出することができる。吸気チューブ６が柔軟性を有するため、ドクターＤの頭部の自由な動きを邪魔しない。また排気ポンプ８は電源を内蔵しており、ドクターＤの自由な移動を邪魔しない。
【００２０】
ドクターＤが手術を行う際は排気ポンプ８のスイッチを入れて、吸気カップ３内の空気をドクターＤの呼気と一緒に吸気チューブ６を介して吸引し、排気ポンプ８の排気口９から腰部付近へ排出する。
【００２１】
吸気カップ３の内部空間Ｓを吸引すると、新鮮な空気がマスク１と開口４を通過して内部空間Ｓに取り入れられ、内部空間Ｓ内の熱気や湿気は取り入れられた空気と一緒に排出される。そのためドクターＤは呼吸が楽になり、不快感を感じることはない。また吸気カップ３内の湿気がマスク１と顔面との隙間から上方へもれ出すこともなく、ドクターＤがメガネ１０を掛けている場合も、そのメガネ１０が湿気により曇ることはない。
【００２２】
吸気カップ３内の空気を吸引している排気ポンプ８はドクターＤの耳１１から離れた腰部に装着されているため、排気ポンプ８の作動音が気にならない。
【００２３】
尚、以上の説明では、吸気カップ３を樹脂成形品で形成する例を示したが、全体的に通気性を有する立体形状のフィルタ成形品であっても良い。そうすると全体が通気部となり、あえて通気部を形成する必要がなくなる。
【００２４】
また排気ポンプ８をドクターＤの腰部に装着する例を示したが、排気ポンプ８は専用肩掛けベルトを用いてドクターＤの背中に装着しても良い。
【符号の説明】
【００２５】
１  マスク
３  吸気カップ
４  開口（通気部）
５  耳掛け紐
６  吸気チューブ
８  排気ポンプ
Ｄ  ドクター
Ｓ  内部空間
【図１】
2019163556.tif 000003
【図２】
2019163556.tif 000004
【図３】
2019163556.tif 000005